(57)【要約】【課題】構造が簡単で、組立てや使用に、ともに便利で、様々の剥離式テープに適用される構成型剥離式テープ器具を提供する。【解決手段】複数の剥離式テープセットと、輪状体と、テープ台とが含有され、各剥離式テープセットに、それぞれ、少なくとも一つの剥離式テープと、剥離式テープを支持する支持座とがあり、当該支持座において、対向する両側にそれぞれ係止部が設けられ、当該環形体に間隔を持って当該支持座の係止部を嵌設するための複数のスロットが設けられ、これにより、複数の剥離式テープセットが環形体の上に設置され、当該テープ台に、互い係合する主座体と係合座が含有され、当該主座体に、スリーブが設けられ、上記の環形体がスリーブの上に嵌設された後、当該環形体が、主座体と係合座との間に挟まれるように設置され、また、スリーブの上で回転できる構成型剥離式テープ器具である。【選択図】図１
2007131430.tif 000002
【特許請求の範囲】
【請求項１】
少なくとも一つの剥離式テープと、剥離式テープを支持する支持座とがあり、当該支持座において、対向する両側に、それぞれ、係止部が設けられる複数の剥離式テープセットと、
複数の剥離式テープセットを環形体の上に設置するための、間隔を持って、上記の支持座の係止部を嵌設するための複数のスロットが設けられる輪状体と、
互いに係合する主座体と係合座が含有され、当該主座体に、スリーブが設けられ、上記の環形体がスリーブの上に嵌設された後、当該環形体が、主座体と係合座との間に挟まれるように設置され、また、スリーブの上で回転出来るテープ台と、
ことを特徴とする構成型剥離式テープ器具。
【請求項２】
当該支持座の上に、更に、剥離式テープを安定するための抵当部が設けられることを特徴とする請求項１に記載の構成型剥離式テープ器具。
【請求項３】
当該抵当部は、四つがあり、それぞれ、支持座の四隅に設けられることを特徴とする請求項２に記載の構成型剥離式テープ器具。
【請求項４】
当該抵当部は、二つがあり、それぞれ、支持座の一側面に設けられ、当該環形体の一側が、上へ伸ばす逆L形の凸縁が形成され、支持座を環形体のスロットの内に挿入することにより、当該二つの抵当部が、当該凸縁に対応することを特徴とする請求項２に記載の構成型剥離式テープ器具。
【請求項５】
当該環形体の上に、間隔を持って複数のT型柱が設けられ、二つのT型柱の間により前記のスロットが構成されることを特徴とする請求項１に記載の構成型剥離式テープ器具。
【請求項６】
当該主座体のスリーブの上に、結合部品が設けられ、当該係合座に、対応するスリーブの結合部品と互いに係合する結合部が設けられることを特徴とする請求項１に記載の構成型剥離式テープ器具。
【請求項７】
更に、上記のテープ台を結合するための底座があることを特徴とする請求項１に記載の構成型剥離式テープ器具。
【請求項８】
当該底座の上に、円形凹槽が設けられ、当該主座体の底部に、当該凹槽に対応する位置に、円形凸部が設けられ、当該凸部と凹槽を結合することにより、当該主座体が、底座の上で360度回転できることを特徴とする請求項７に記載の構成型剥離式テープ器具。
【発明の詳細な説明】
【技術分野】
【０００１】
本発明は、構成型剥離式テープ器具に関し、特に、幅や長さが異なる剥離式テープを収納できる剥離式テープ器具であり、構造が簡単で、組立てや使用に、ともに便利で、様々の剥離式テープに適用されるものに関する。
【背景技術】
【０００２】
テープという製品は、今において、生活上の不可欠のものであり、また、衣服業界や百貨業界及びオフィス……等の仕事場において、例えば、プラスチック袋の包装や文具及びギフトの包装に、多量に利用され、テープは、粘着や包装、固定或いはマークの機能を発揮するが、使用過程において、ユーザーにとって、テープの裁断や長さの決定が、困ることであり、特に、１段のテープを取得するために、一つの裁断動作が必要で、また、刃物や先端が鋭い物を利用しなければならないが、手元に当該補助ツールがなければ、テープの裁断が、非常にやりにくくて、無理やり、テープを引裂くと、引裂かれたところが、美観ではない。
【０００３】
前記の欠点を解消するために、剥離式テープの設計が登場し、ユーザーが、１枚目のテープを取り出すと、次の２枚目のテープが、ともに引張られて、テープの非粘着端を露出し、簡単に其れを取り出すが、設計上、テープの数が多くないため、大量にテープを使用する店にとって、不便で、経済的でないだけでなく、剥離式テープを収納するための適当なテープ器具がない。
【発明の開示】
【発明が解決しようとする課題】
【０００４】
本発明の主な目的は、構造が簡単で、組立てや使用に、ともに便利で、様々の剥離式テープに適用される構成型剥離式テープ器具を提供する。
【課題を解決するための手段】
【０００５】
本発明は、上記の目的を達成するため、複数の剥離式テープセットと、輪状体と、テープ台とが含有され、各剥離式テープセットに、それぞれ、少なくとも一つの剥離式テープと、剥離式テープを支持する支持座とがあり、当該支持座において、対向する両側に、それぞれ、係止部が設けられ、当該環形体に、間隔を持って、当該支持座の係止部を嵌設するための複数のスロットが設けられ、これにより、複数の剥離式テープセットが環形体の上に設置され、当該テープ台に、互いに係合する主座体と係合座が含有され、当該主座体に、スリーブが設けられ、上記の環形体がスリーブの上に嵌設された後、当該環形体が、主座体と係合座との間に挟まれるように設置され、また、スリーブの上で回転できる構成型剥離式テープ器具である。
【発明の効果】
【０００６】
本発明は、以下の利点が得られる。
１）本発明に係わる構成型剥離式テープ器具によれば、複数の異なる色や種類或いは型式の剥離式テープが、直接に環形体の上に嵌設されることができ、ユーザーに、より便利且つ多元の使用需要を満足できる。
２）本発明に係わる構成型剥離式テープ器具によれば、構造が簡単で、組立てが容易であり、使用する時、環形体を回転することにより、必要なテープを取り出すことができ、また、テープが無くなると、環形体を外することにより、簡単にテープを補充することができ、非常に便利である。
【発明を実施するための最良の形態】
【０００７】
以下、図面を参照しながら、本発明に係わる具体的な構成内容や効果について、実施例を挙げて詳しく説明する。
図1〜3は、本発明に係わる構成型剥離式テープ器具の一実施例であり、複数の剥離式テープセット1と、輪状体2と、テープ台3とからなる。
【０００８】
各剥離式テープセット1は、少なくとも一つの剥離式テープ11と、剥離式テープ11を支持する支持座12とが含有され、当該支持座12の上に、剥離式テープ1を安定するためのそれぞれ支持座12の四隅に位置する四つの抵当部121が設けられ、当該支持座12において、対向する両側に、それぞれ、係止部122、123が設けられる。
【０００９】
当該環形体2の上に、間隔を持って複数のT型柱21が設けられ、二つのT型柱21により、上記の支持座12の係止部122、123を嵌設するためのスロット22が構成され、これにより、複数の剥離式テープセット1が環形体2の上に設置される。
【００１０】
当該テープ台3は、互いに係合する主座体31と係合座32が含有され、当該主座体31に、環形体2が嵌設されるためのスリーブ311が設けられ、当該スリーブ311の上に、結合部品312が設けられ、当該係合座32に、対応するスリーブ311の結合部品312と互いに係合する結合部321が設けられる。
【００１１】
図1〜5を参照しながら、まず、各剥離式テープセット1の支持座12の係止部122、123を、環形体2の上に位置する二つのT型柱21の間に形成されるスロット22の内に挿入することにより、複数の剥離式テープセット1が、環形体2の上に設置され、その後、当該環形体2を、スリーブ311の上に嵌設し、また、係合座32の結合部321とスリーブ311の結合部品312とを、互いに係合することにより、当該環形体2が、主座体31と係合座32との間に挟まれるように設置され、また、スリーブ311の上で回転できる。
【００１２】
これにより、ユーザーが、環形体2の上に収納される一つの剥離式テープセット1内の剥離式テープ11の一端を、取り出すと、その末端によって、次の剥離式テープ11(図4、5のように)が連動され、当該連動される剥離式テープ11の一端は、支持座12の抵当部121から露出する。また、本発明に係わる剥離式テープセット1内の剥離式テープ11は、複数の異なる色や種類或いは形式であり、また、当該環形体2が、スリーブ311の上で回転できるため、ユーザーが、簡単にテープを選択でき、また、剥離式テープセット1内の剥離式テープ11が無くなると、主座体31と係合座32とを分離して、環形体2を取り出し、必要とする剥離式テープセット1を環形体2に補充して、組立てて、即時に使用できる。
【００１３】
図1、2を参照しながら、本発明は、更に、上記のテープ台3を結合するための底座4が設置されることもでき、当該底座4の上に、円形凹槽41が設けられ、当該主座体31の底部に、当該凹槽41に対応する位置に、円形凸部313が設けられ、当該凸部313と凹槽41を結合することにより、当該主座体31が、底座4の上で360度回転できる。
【００１４】
図6、7は、本発明に係わるもう一つの実施例であり、当該抵当部121が、二つであり、それぞれ、支持座12の一側面に設けられ、当該環形体2の一側に、上へ伸ばすような逆L形の凸縁23が形成され、支持座12を環形体2のスロット22内に挿入すると、当該二つの抵当部121が、当該凸縁23に対向するようになり、これにより、剥離式テープ11の一端が引張られると、その末端に連動して、次の剥離式テープ11が、環形体2の凸縁23から露出し、便利さと連続取り出しの目的が実現される。
【００１５】
本発明は、以下の利点が得られる。
【００１６】
以上のように、本発明は、確実に発明の予期の目的を達成できる構成型剥離式テープ器具である。以上は、本発明の具体的な実施例であり、本発明は、其れによって制限されず、また、本発明の精神に従って、等価な修正や変更は、全てが、本発明の特許請求の範囲に含まれる。
【図面の簡単な説明】
【００１７】
【図１】本発明に係わる実施例である構成型剥離式テープ器具の立体外観の分解図
【図２】本発明に係わる実施例である構成型剥離式テープ器具の組立て後の立体外観図
【図３】本発明に係わる実施例である構成型剥離式テープ器具の組立て後の断面図
【図４】本発明に係わる実施例のテープを取り出す時の使用状態概念図
【図５】本発明に係わる実施例のテープを取り出す時の他の使用状態概念図
【図６】本発明に係わる他の実施例の立体外観の分解図
【図７】本発明に係わる他の実施例の組立て後の立体外観図。
【符号の説明】
【００１８】
1   剥離式テープセット
11  剥離式テープ
12  支持座 
121 抵当部
122 係止部
123 係止部
2   環形体
21  T型柱
22  スロット
23  凸縁
3   テープ台
31  主座体
311 スリーブ
312 結合部品
313 凸部
32  係合座
321 結合部
4   底座
41  凹槽
【図１】
2007131430.tif 000003
【図２】
2007131430.tif 000004
【図３】
2007131430.tif 000005
【図４】
2007131430.tif 000006
【図５】
2007131430.tif 000007
【図６】
2007131430.tif 000008
【図７】
2007131430.tif 000009